(57)【要約】【課題】接続検査メッセージを送信する装置に対する接続検査メッセージに係る設定を同一とすることができる接続の確認方法を提供する。【解決手段】宅内装置が送信する接続検査メッセージをノード装置が受信することで、ノード装置が宅内装置との接続を確認する方法であって、宅内装置が接続検査メッセージを含むフレームをノード装置へ送信するステップと、前記宅内装置が送信したフレームをノード装置に転送する装置が、前記宅内装置を識別するための識別情報を、転送するフレームに追加するステップと、ノード装置が、前記識別情報に基づき、前記宅内装置が送信した接続検査メッセージを判定して、前記宅内装置との接続を検査するステップとを備えている。【選択図】図１
2011030059.tif 000002
【特許請求の範囲】
【請求項１】
宅内装置が送信する接続検査メッセージをノード装置が受信することで、ノード装置が宅内装置との接続を確認する方法であって、
宅内装置が接続検査メッセージを含むフレームをノード装置へ送信するステップと、
前記宅内装置が送信したフレームをノード装置に転送する装置が、前記宅内装置を識別するための識別情報を、転送するフレームに追加するステップと、
ノード装置が、前記識別情報に基づき、前記宅内装置が送信した接続検査メッセージを判定して、前記宅内装置との接続を検査するステップと、
を備えている、
方法。
【請求項２】
前記識別情報は、ＶＬＡＮタグである請求項１に記載の方法。
【請求項３】
第２の装置により集線された複数の第１の装置からのフレームを１つのインタフェースで受信する装置であって、
接続検査メッセージを含んでいるフレームのオーバヘッドに含まれる識別情報の内容を判定する第１の手段と、
第１の装置からの接続検査メッセージを含むフレームの受信状態により、該第１の装置との接続を判定する第２の手段と、
を備えており、
第２の手段は、接続検査メッセージを送信した第１の装置の判定に、前記識別情報を利用する装置。
【請求項４】
前記識別情報は、ＶＬＡＮタグである請求項３に記載の装置。
【請求項５】
第１の装置が送信する接続検査メッセージを第３の装置が受信することで、第３の装置が第１の装置との接続を確認する通信システムであって、
第１の装置と接続しており、第１の装置から受信するフレームのオーバヘッドに識別情報を追加して、第３の装置に転送する第２の装置をさらに有し、
第３の装置は、接続検査メッセージを送信した第１の装置を、前記識別情報に基づき特定する、
通信システム。
【発明の詳細な説明】
【技術分野】
【０００１】
本発明は、ネットワークの保守運用管理（ＯＡＭ：Ｏｐｅｒａｔｉｏｎ  Ａｄｍｉｎｉｓｔｒａｔｉｏｎ  ａｎｄ  Ｍａｉｎｔｅｎａｎｃｅ）技術に関し、より具体的には、他の装置との接続を確認する技術に関する。
【背景技術】
【０００２】
図４は、ネットワークへのアクセス網としてレイヤ２網を使用する場合の構成図である。図４において、ノード装置１は、例えば、エッジルータであり、複数の宅内装置２１〜２４を収容し、これら宅内装置２１〜２４とネットワーク４との信号の送受を仲介する機能を提供している。また、ＳＷ３１〜ＳＷ３３は、レイヤ２スイッチ装置であり、複数の宅内装置を収容して１本の信号にまとめることで、ノード装置１に実装するインタフェースの数を減らすために使用されている。つまり、ＳＷ３１〜ＳＷ３３は、集線機能を提供している。
【０００３】
これらレイヤ２網の保守運用管理のために、接続検査といった様々な仕様が各標準化団体により規定されている（例えば、非特許文献１及び非特許文献２、参照。）。非特許文献１及び２によると、接続検査は、例えば、２つの装置が互いに接続検査メッセージ（ＣＣＭ：Ｃｏｎｔｉｎｕｉｔｙ  Ｃｈｅｃｋ  Ｍｅｓｓａｇｅ）を周期的に他方の装置に送信し、両装置が共に他方の装置からの接続検査メッセージの受信を確認することにより行われている。なお、接続検査メッセージを所定の期間以上受信しないことにより、接続が断となっていることを検出した装置は、送信する接続検査メッセージに接続断を検出したことを示す符号を設定し、相手装置に接続断の検出を通知する。
【先行技術文献】
【非特許文献】
【０００４】
【非特許文献１】ＩＴＵ−Ｔ  Ｙ．１７３１、“ＯＡＭ  ｆｕｎｃｔｉｏｎｓ  ａｎｄ  ｍｅｃｈａｎｉｓｍ  ｆｏｒ  Ｅｔｈｅｒｎｅｔ  ｂａｓｅｄ  ｎｅｔｗｏｒｋｓ”、２００８年２月
【非特許文献２】ＩＥＥＥ  ８０２．１ａｇ、“Ｖｉｒｔｕａｌ  Ｂｒｉｄｇｅｄ  Ｌｏｃａｌ  Ａｒｅａ  Ｎｅｔｗｏｒｋｓ  Ａｍｅｎｄｍｅｎｔ  ５：Ｃｏｎｎｅｃｔｉｖｉｔｙ  Ｆａｕｌｔ  Ｍａｎａｇｅｍｅｎｔ”
【発明の概要】
【発明が解決しようとする課題】
【０００５】
非特許文献１及び２によると、接続検査メッセージには、ＭＤ名（Ｍａｉｎｔｅｎａｎｃｅ  Ｄｏｍａｉｎ  Ｎａｍｅ）、ＭＡ名（Ｍａｉｎｔｅｎａｎｃｅ  Ａｓｓｏｃｉａｔｉｏｎ  Ｎａｍｅ）及びＭＥＰ識別子（Ｍａｉｎｔｅｎａｎｃｅ  Ｅｎｄ  Ｐｏｉｎｔ  Ｉｄｅｎｔｉｆｉｅｒ）を設定する必要があり、接続検査メッセージを受信して接続を確認する装置は、これら値の組合せから、接続検査メッセージを送信した装置を識別して接続の判定を行っている。なお、ＭＤ名、ＭＡ名及びＭＥＰ識別子の組合せの様に、接続検査メッセージのために定義され、接続検査メッセージを送信している装置が、自装置を特定させるために接続検査メッセージ内に設定する値を、以後、“接続検査識別子”と呼ぶものとする。
【０００６】
したがって、例えば、図４に示す構成において、各宅内装置からノード装置１への接続を確認する場合、宅内装置２１〜２４が、それぞれ、互いに異なる接続検査識別子を含む接続検査メッセージを送信する様に、宅内装置２１〜２４の設定を行う必要がある。つまり、個々の宅内装置に、他の宅内装置とは重複しない接続検査識別子を割当て、各宅内装置には、割り当てた接続検査識別子の設定を個別に行う必要がある。
【０００７】
しかしながら、地理的に広範囲に分散して配置される宅内装置に重複しない接続検査識別子を設定することは煩雑な作業であり、宅内装置を故障等の理由で交換する場合に、誤設定が生じることも考えられる。つまり、実際のネットワークの運用を考慮すると、接続検査等のＯＡＭに関する設定については各宅内装置で同一の設定を利用できることが好ましいといえる。
【０００８】
したがって、本発明は、接続検査メッセージを送信する装置に対する接続検査メッセージに係る設定を同一とすることができる接続確認方法、通信システム及び該通信システムにおいて接続検査メッセージの検査を行う装置を提供することを目的とする。
【課題を解決するための手段】
【０００９】
本発明における方法によれば、
宅内装置が送信する接続検査メッセージをノード装置が受信することで、ノード装置が宅内装置との接続を確認する方法であって、宅内装置が接続検査メッセージを含むフレームをノード装置へ送信するステップと、前記宅内装置が送信したフレームをノード装置に転送する装置が、前記宅内装置を識別するための識別情報を、転送するフレームに追加するステップと、ノード装置が、前記識別情報に基づき、前記宅内装置が送信した接続検査メッセージを判定して、前記宅内装置との接続を検査するステップとを備えていることを特徴とする。
【００１０】
本発明における装置によれば、
第２の装置により集線された複数の第１の装置からのフレームを１つのインタフェースで受信する装置であって、接続検査メッセージを含んでいるフレームのオーバヘッドに含まれる識別情報の内容を判定する第１の手段と、第１の装置からの接続検査メッセージを含むフレームの受信状態により、該第１の装置との接続を判定する第２の手段とを備えており、第２の手段は、接続検査メッセージを送信した第１の装置の判定に、前記識別情報を利用することを特徴とする。
【００１１】
本発明における通信システムによれば、
第１の装置が送信する接続検査メッセージを第３の装置が受信することで、第３の装置が第１の装置との接続を確認する通信システムであって、第１の装置と接続しており、第１の装置から受信するフレームのオーバヘッドに識別情報を追加して、第３の装置に転送する第２の装置をさらに有し、第３の装置は、接続検査メッセージを送信した第１の装置を、前記識別情報に基づき特定することを特徴とする。
【００１２】
本発明の他の実施形態によれば、
前記識別情報は、ＶＬＡＮタグであること好ましい。
【発明の効果】
【００１３】
集線装置にてオーバヘッドに追加された識別情報に基づき接続検査メッセージを送信した装置を判定するため、接続検査メッセージを送信する各装置の設定については同一であっても良く、設定に関する作業負荷が低減される。
【図面の簡単な説明】
【００１４】
【図１】ノード装置の構成図である。
【図２】フレーム構成を示す図である。
【図３】状態判定部の処理を説明する図である。
【図４】本発明を適用する通信システムの実施形態を示す図である。
【発明を実施するための形態】
【００１５】
本発明を実施するための形態について、以下では図面を用いて詳細に説明する。
【００１６】
図４は、本発明を適用する通信システムの一例を示す図である。図４において、ノード装置１は、例えば、エッジルータであり、複数の宅内装置２１〜２４を収容し、これら宅内装置２１〜２４より受信するフレームからＩＰパケットを取り出してネットワーク４に送信し、ネットワーク４から受信するＩＰパケットについて、フレームに格納した後、その宛先に対応する宅内装置に送信を行う。また、ＳＷ３１〜ＳＷ３３は、例えば、レイヤ２スイッチ装置であり、複数の宅内装置を収容して１本の信号にまとめることで、ノード装置１に実装するインタフェースの数を減らすために使用されている。つまり、ＳＷ３１〜ＳＷ３３は、複数の宅内装置を１本のインタフェースに集線する集線機能をノード装置１に提供する装置である。
【００１７】
各宅内装置は、宅内装置とノード装置１間の接続を確認するために接続検査メッセージをノード装置１に周期的に送信する。なお、接続検査メッセージは、非特許文献１や非特許文献２の様に、通信に関する標準化団体が規定した仕様に準拠したメッセージである。図２（ａ）は、宅内装置が送信する接続検査メッセージを含むフレームの概略を示している。通常、レイヤ２フレームの管理情報、つまりオーバヘッドには、ペイロードに格納されている信号種別を示すタイプフィールドが設けられており、このタイプフィールドには、仕様で規定されたＯＡＭデータユニットを示す値が設定される。また、ペイロードに格納されているＯＡＭデータユニットには、ＯＡＭデータユニットのメッセージ種別を示すフィールドがあり、このフィールドには、接続検査メッセージであることを示す値が設定される。さらに、ＯＡＭデータユニットには、接続検査識別子も設定される。
【００１８】
本発明において、各宅内装置が送信する接続検査メッセージに含まれる接続検査識別子の値は重複しないものである必要はなく、接続検査メッセージに関する各宅内装置の設定を同一とすることが可能である。つまり、ネットワークの運用者は、各宅内装置に設定されている接続検査識別子の値を意識する必要はない。
【００１９】
本発明において、各ＳＷ３１〜３３は、宅内装置から受信したフレームをノード装置１側に転送する際に、所定の値のＶＬＡＮタグフィールドをフレームのオーバヘッドに追加する様に構成されている。図２（ｂ）は、ＶＬＡＮタグフィールド追加後のフレーム構成である。具体的には、例えば、ＳＷ３２は、宅内装置２２から受信するフレームに対して値“ｂ”のＶＬＡＮタグを、宅内装置２３から受信するフレームに対して値“ｃ”のＶＬＡＮタグを追加して転送し、ＳＷ３１は、宅内装置２１から受信するフレームに対して値“ａ”のＶＬＡＮタグを、ＳＷ３２から受信するフレームに対しては、そのままノード装置１に転送する様に構成されている。なお、実施形態において、宅内装置２１が送信するフレームには、ＶＬＡＮタグフィールドが含まれていないが、含まれている形態であっても良い。この場合、各ＳＷは、新たなＶＬＡＮタグフィールドを更に追加することになる。なお、宅内装置２１が送信するフレームにＶＬＡＮタグフィールドが含まれているが、使用されていない場合においては、各ＳＷが、使用されていないＶＬＡＮタグフィールドに値を設定する形態とすることもできる。
【００２０】
図１は、本発明によるノード装置１の構成図である。図１に示す様に、ノード装置１は、インタフェース部１１と、ＶＬＡＮタグ判定部１２と、ＣＣＭ判定部１３と、状態判定部１４と、表示部１５とを備えている。
【００２１】
インタフェース部１１はフレームの送受信を行うものであり、受信したフレームを、インタフェースを特定する情報と共にＶＬＡＮタグ判定部１２に出力する。ＶＬＡＮタグ判定部１２は、入力フレームのＶＬＡＮタグフィールドの値を判定して、受信フレームを、ＶＬＡＮタグの値及び該フレームを受信したインタフェースを特定する情報と共にＣＣＭ判定部１３に出力する。ＣＣＭ判定部１３は、受信したフレームについて、フレーム内の管理情報に基づき接続検査メッセージであるか否かを判定する。具体的には、オーバヘッドのタイプフィールドを検査してＯＡＭ用のフレームであるか否かを判定し、ＯＡＭ用フレームである場合には、ペイロードに含まれるＯＡＭデータユニット内のメッセージ種別を示す値を検査して、接続検査メッセージであるか否かを判定する。受信したフレームが、接続検査メッセージである場合、ＣＣＭ判定部１３は、受信したフレームを、ＶＬＡＮタグの値及び受信したインタフェースを特定する情報と共に状態判定部１４へ出力し、それ以外の場合には、図示しない、フレームのペイロードに格納された信号種別に応じた処理ブロックにフレームを出力する。
【００２２】
状態判定部１４は、接続検査メッセージを、受信インタフェース及びＶＬＡＮタグの値の組合せで特定できる宅内装置ごとに分類し、受信インタフェース及びＶＬＡＮタグの値の組合せが同一である接続検査メッセージの受信間隔と、所定の閾値に基づき、この組合せで特定される宅内装置との接続を検査する。なお、閾値による接続の検査は、標準化団体による仕様で規定された方法に従い行う。
【００２３】
図３は、図４の構成において、状態判定部１４が管理する接続状態を示している。なお、宅内装置２１からのフレームにはＶＬＡＮタグ値“ａ”が、宅内装置２２からのフレームにはＶＬＡＮタグ値“ｂ”が、宅内装置２３からのフレームにはＶＬＡＮタグ値“ｃ”が、宅内装置２４からのフレームにはＶＬＡＮタグ値“ｄ”が、それぞれ、付与されているものとする。
【００２４】
状態判定部１４は、例えば、インタフェース＃１で受信する、ＶＬＡＮタグフィールドの値が“ａ”である接続検査メッセージの受信状態に基づき宅内装置２１との接続を確認する。図３においては、宅内装置２１からの接続検査メッセージを正常に受信していることにより、現在、宅内装置２１とは接続状態であると判定している。一方、インタフェース＃１で受信するＶＬＡＮタグフィールドの値が“ｂ”である接続検査メッセージを所定の期間以上受信していないことにより、状態判定部１４は、宅内装置２２との接続が断であると判定している。また、状態判定部１４は、総ての宅内装置から受信する接続検査メッセージの接続検査識別子には値“Ａ”が設定されていることを識別している。
【００２５】
状態判定部１４は、各装置との接続状態を表示部１５に出力し、表示部１５は、例えば、状態が変化した場合には状態変化した宅内装置及び変化後の状態のディスプレイへの表示を行い、さらに、ネットワークの運用者による表示指令に応答して、指定された宅内装置との接続状態のディスプレイへの表示を行う。また、状態判定部１４が接続断を検出した場合、ルーティング機能により障害復旧させるために、図示しない制御部が、接続断を検出した宅内装置との論理インタフェースを非活性化させても良い。ここで、論理インタフェースとは、物理的なインタフェースとＶＬＡＮタグの値の組合せで特定される宅内装置とのフレームの送受信を処理する機能部分である。
【００２６】
なお、本実施形態においては、受信する接続検査メッセージの接続検査識別子を無視するため、ノード装置１は、受信インタフェース及びＶＬＡＮタグの組合せと宅内装置との対応関係についての情報を保持すれば良いが、接続検査識別子を含める形態であっても良い。つまり、受信インタフェース、ＶＬＡＮタグ及び接続検査識別子の組合せと宅内装置との対応関係を保持する形態であっても良い。この場合、宅内装置の接続検査識別子に関する設定を任意の値とすることはできず、宅内装置に設定されている接続検査識別子の値を、ノード装置１に登録している値と同一にする必要がある。しかしながら、宅内装置の特定は、受信インタフェース及びＶＬＡＮタグの組合せのみで可能であるため、総ての宅内装置に設定する接続検査識別子の値を、予め定めた同一の値とすることができ、これにより、宅内装置の設定を管理するための作業負荷は低減される。
【００２７】
また、ノード装置１から各宅内装置への接続検査メッセージの送信について、各宅内装置は、従来技術と同様に接続検査識別子に基づき接続検査メッセージを送信した装置を特定するため、本発明によるノード装置１は、総ての宅内装置に対して、ノード装置１に付与された同じ接続検査識別子を含む接続検査メッセージを送信することができる様に構成する。これにより、宅内装置の接続検査メッセージに係る設定については総て同一とできる。
【００２８】
なお、インタフェースが異なれば、同一の値をＶＬＡＮタグに設定可能であるため、上述した形態においては、受信インタフェースとＶＬＡＮタグの値の組合せにより、接続検査メッセージを送信した宅内装置を判定していたが、１つのノード装置１に収容される各宅内装置には異なるＶＬＡＮタグの値を割り当てる場合、ＶＬＡＮタグの値のみで宅内装置を識別することができ、よって、インタフェースを特定する情報についての処理は省略可能となる。
【００２９】
以上、本発明においては、各ＳＷが挿入するＶＬＡＮタグの値に基づき宅内装置を識別して接続の検査を行う。ＳＷは、宅内装置と比較して、その設置範囲は限定的であり、かつ、１つのＳＷは複数の宅内装置を収容するため、ＳＷへの設定作業は、個々の宅内装置の設定を重複しない様にするための作業負荷とは比較にならないぐらい軽いものとなる。さらに、ＶＬＡＮ機能に対応するＳＷは一般的であり、この様なＳＷは、通常、ＶＬＡＮタグを追加する機能を有しているため、本願発明は、ノード装置１の機能変更のみで実現可能である。なお、上述した実施形態では、ＶＬＡＮタグにより接続検査メッセージを識別していたが、ＯＡＭ専用ではなく、つまり、フレームのペイロードに格納されるのではなく、フレームのオーバヘッドに格納され、ＳＷの様な監視区間の中に配置される装置にて挿入でき、個々のフレームが属するトラフィックを分類できる情報であれば、ＶＬＡＮタグ以外であっても利用可能である。
【符号の説明】
【００３０】
１  ノード装置
２１、２２、２３、２４  宅内装置
３１、３２、３３  レイヤ２ＳＷ
４  ネットワーク
１１  インタフェース部
１２  ＶＬＡＮタグ判定部
１３  ＣＣＭ判定部
１４  状態判定部
１５  表示部
【図１】
2011030059.tif 000003
【図２】
2011030059.tif 000004
【図３】
2011030059.tif 000005
【図４】
2011030059.tif 000006